(57)【要約】【課題】  本発明は、ユーザが花壇を一から設計しなくても、簡便な方法で花壇を発注できる花壇受発注システムを提供することを目的とする。【解決手段】  本発明は、ユーザ端末と、ユーザ端末と通信が可能なサーバ装置とを備える花壇受発注システムであって、花壇に関する情報を記憶する花壇記憶手段と、所定の条件に基づいて、花壇を推薦表示する花壇推薦表示手段と、推薦表示された花壇の発注要求を送信する発注要求送信手段と、発注要求を受信する発注要求受信手段と、を備える、花壇受発注システムに関する。【選択図】図３
2019036145.tif 000002
【特許請求の範囲】
【請求項１】
ユーザ端末と、ユーザ端末と通信が可能なサーバ装置とを備える花壇受発注システムであって、
花壇に関する情報を記憶する花壇記憶手段と、
所定の条件に基づいて、花壇を推薦表示する花壇推薦表示手段と、
推薦表示された花壇の発注要求を送信する発注要求送信手段と、
発注要求を受信する発注要求受信手段と、
を備える、花壇受発注システム。
【請求項２】
ユーザによる花壇の発注要求を注文履歴として記憶する注文履歴記憶手段を備え、
花壇推薦表示手段が、注文履歴に基づいて、花壇を推薦表示するものである、請求項１に記載の花壇受発注システム。
【請求項３】
所定のウェブサイトの頻出ワードを特定する頻出ワード特定手段を備え、
花壇記憶手段が、花壇に関する情報を頻出ワードと関連付けて記憶するものであり、
花壇推薦表示手段が、特定された頻出ワードに基づいて、花壇を推薦表示するものである、請求項１又は２に記載の花壇受発注システム。
【請求項４】
ユーザによるウェブサイトの指定を可能にするウェブサイト指定手段を備え、
頻出ワード特定手段が、指定されたウェブサイトの頻出ワードを特定するものである、請求項３に記載の花壇受発注システム。
【請求項５】
花壇についての他のユーザの評価を記憶する評価記憶手段を備え、
花壇推薦表示手段が、他のユーザの評価に基づいて、花壇を推薦表示するものである、請求項１〜４のいずれかに記載の花壇受発注システム。
【請求項６】
ユーザの属性及び他のユーザの属性を記憶する属性記憶手段と、
属性について統計を取得する統計取得手段とを備え、
花壇記憶手段が、花壇に関する情報を属性と関連付けて記憶するものであり、
花壇推薦表示手段が、取得された統計に基づいて、花壇を推薦表示するものである、請求項１〜５のいずれかに記載の花壇受発注システム。
【請求項７】
花壇の選択肢をグループ化して記憶するグループ記憶手段と、
花壇の選択肢ごとに、選択肢を推薦表示する確率を記憶する推薦確率記憶手段と、
花壇の選択肢の選択を受け付ける選択受付手段と、
選択を受け付けた選択肢のグループに包含される選択肢について、選択を受け付けた後であって、再度、推薦表示をする前に、選択肢を推薦表示する確率を所定の条件で増加させる推薦確率増加手段とを備える、請求項１〜６のいずれかに記載の花壇受発注システム。
【請求項８】
花壇推薦表示手段が、ユーザの注文履歴、所定のウェブサイトの頻出ワード、他のユーザの評価、及びユーザの属性からなる群より選ばれる１以上の条件に基づいて選定される花壇とは異なる花壇を推薦表示する手段を有する、請求項２〜７のいずれかに記載の花壇受発注システム。
【請求項９】
ユーザ端末と通信が可能なサーバ装置に実行させるための花壇受発注プログラムであって、
サーバ装置を、
花壇に関する情報を記憶する花壇記憶手段、
所定の条件に基づいて推薦表示された花壇の発注要求を受信する発注要求受信手段、
として機能させる、花壇受発注プログラム。
【請求項１０】
サーバ装置と通信が可能なユーザ端末に実行させるための花壇受発注プログラムであって、
ユーザ端末を、
花壇に関する情報を記憶する花壇記憶手段、
所定の条件に基づいて、花壇を推薦表示する花壇推薦表示手段、
推薦表示された花壇の発注要求を送信する発注要求送信手段、
として機能させる、花壇受発注プログラム。
【請求項１１】
ユーザ端末と、ユーザ端末と通信が可能なサーバ装置とを備える花壇受発注システムにおいて実行される花壇受発注方法であって、
花壇に関する情報を記憶する花壇記憶ステップと、
所定の条件に基づいて、花壇を推薦表示する花壇推薦ステップと、
推薦表示された花壇の発注要求を送信する発注要求送信ステップと、
発注要求を受信する発注要求受信ステップと、
を有する、花壇受発注方法。
【発明の詳細な説明】
【技術分野】
【０００１】
本発明は、花壇受発注システム、花壇受発注プログラム、及び花壇受発注方法に関する。
【背景技術】
【０００２】
近年、庭やベランダなどで園芸を楽しむ、いわゆるガーデニングは、一般的な趣味として広く認知されるようになっており、希望どおりの花壇を自由に設計し、簡便な手続きで、設計した花壇を購入したいというニーズがある。
【０００３】
また、望み通りの花壇等を作製するために必要な植物の種類やその数を知ることは、ガーデニングについて相当の知識がないと困難であり、このことが、ガーデニング未経験者が実際にガーデニングに挑戦する際の障壁となっていた。
【０００４】
また、花壇等への配植を計画する段階においてその完成形を正確に予想することは難しく、実際に配植をして花壇等を完成させた後に、望んでいた花壇等とは違うという状況が起こりやすいという問題があった。
【０００５】
上記のような問題を解決するため、例えば、特許文献１には、情報端末を用いて花壇の設計・施工支援を行うシステムが提案されている。特許文献１のシステムは、データベースに記憶されているデータを参照して、花壇の形状と花壇内の配色を決定する花壇設計手段と、設計された花壇の条件を設定する条件設定手段と、設計された花壇を施工するのに必要な材料を選択して花壇の施工プランを作成する施工支援手段とを備えたものであり、花壇設計手段によって決定された花壇の３次元模式図を、斜視図としてユーザ端末に表示することが開示されている。
【先行技術文献】
【特許文献】
【０００６】
【特許文献１】特開２００２−１１７２４３号公報
【発明の概要】
【発明が解決しようとする課題】
【０００７】
上述のように、簡便な手続きで花壇を購入したいというニーズはあるものの、これまでのところ、ユーザが花壇を一から設計せずに、花壇の受発注を簡便に行うことのできるシステムは存在していなかった。
【０００８】
本発明は、上記のような課題に鑑みてなされたものである。すなわち、本発明は、ユーザが花壇を一から設計しなくても、簡便な方法で花壇を発注できる花壇受発注システムを提供することを目的とする。
【課題を解決するための手段】
【０００９】
本発明の要旨は、以下の通りである。
【００１０】
［１］ユーザ端末と、ユーザ端末と通信が可能なサーバ装置とを備える花壇受発注システムであって、
花壇に関する情報を記憶する花壇記憶手段と、
所定の条件に基づいて、花壇を推薦表示する花壇推薦表示手段と、
推薦表示された花壇の発注要求を送信する発注要求送信手段と、
発注要求を受信する発注要求受信手段と、
を備える、花壇受発注システム。
【００１１】
［２］ユーザによる花壇の発注要求を注文履歴として記憶する注文履歴記憶手段を備え、
花壇推薦表示手段が、注文履歴に基づいて、花壇を推薦表示するものである、［１］に記載の花壇受発注システム。
【００１２】
［３］所定のウェブサイトの頻出ワードを特定する頻出ワード特定手段を備え、
花壇記憶手段が、花壇に関する情報を頻出ワードと関連付けて記憶するものであり、
花壇推薦表示手段が、特定された頻出ワードに基づいて、花壇を推薦表示するものである、［１］又は［２］に記載の花壇受発注システム。
【００１３】
［４］ユーザによるウェブサイトの指定を可能にするウェブサイト指定手段を備え、
頻出ワード特定手段が、指定されたウェブサイトの頻出ワードを特定するものである、［３］に記載の花壇受発注システム。
【００１４】
［５］花壇についての他のユーザの評価を記憶する評価記憶手段を備え、
花壇推薦表示手段が、他のユーザの評価に基づいて、花壇を推薦表示するものである、［１］〜［４］のいずれかに記載の花壇受発注システム。
【００１５】
［６］ユーザの属性及び他のユーザの属性を記憶する属性記憶手段と、
属性について統計を取得する統計取得手段とを備え、
花壇記憶手段が、花壇に関する情報を属性と関連付けて記憶するものであり、
花壇推薦表示手段が、取得された統計に基づいて、花壇を推薦表示するものである、［１］〜［５］のいずれかに記載の花壇受発注システム。
【００１６】
［７］花壇の選択肢をグループ化して記憶するグループ記憶手段と、
花壇の選択肢ごとに、選択肢を推薦表示する確率を記憶する推薦確率記憶手段と、
花壇の選択肢の選択を受け付ける選択受付手段と、
選択を受け付けた選択肢のグループに包含される選択肢について、選択を受け付けた後であって、再度、推薦表示をする前に、選択肢を推薦表示する確率を所定の条件で増加させる推薦確率増加手段とを備える、［１］〜［６］のいずれかに記載の花壇受発注システム。
【００１７】
［８］花壇推薦表示手段が、ユーザの注文履歴、所定のウェブサイトの頻出ワード、他のユーザの評価、及びユーザの属性からなる群より選ばれる１以上の条件に基づいて選定される花壇とは異なる花壇を推薦表示する手段を有する、［２］〜［７］のいずれかに記載の花壇受発注システム。
【００１８】
［９］ユーザ端末と通信が可能なサーバ装置に実行させるための花壇受発注プログラムであって、
サーバ装置を、
花壇に関する情報を記憶する花壇記憶手段、
所定の条件に基づいて推薦表示された花壇の発注要求を受信する発注要求受信手段、として機能させる、花壇受発注プログラム。
【００１９】
［１０］サーバ装置と通信が可能なユーザ端末に実行させるための花壇受発注プログラムであって、
ユーザ端末を、
花壇に関する情報を記憶する花壇記憶手段、
所定の条件に基づいて、花壇を推薦表示する花壇推薦表示手段、
推薦表示された花壇の発注要求を送信する発注要求送信手段、として機能させる、花壇受発注プログラム。
【００２０】
［１１］ユーザ端末と、ユーザ端末と通信が可能なサーバ装置とを備える花壇受発注システムにおいて実行される花壇受発注方法であって、
花壇に関する情報を記憶する花壇記憶ステップと、
所定の条件に基づいて、花壇を推薦表示する花壇推薦ステップと、
推薦表示された花壇の発注要求を送信する発注要求送信ステップと、
発注要求を受信する発注要求受信ステップと、を有する、花壇受発注方法。
【発明の効果】
【００２１】
本発明によれば、ユーザは花壇を一から設計しなくても、簡便な方法で花壇を発注することができるようになる。
【図面の簡単な説明】
【００２２】
【図１】本発明の実施の形態に係る、花壇受発注システムの構成を示す図である。
【図２】本発明の実施の形態に係る、ユーザ端末の構成を示すブロック図（ａ）及びサーバ装置の構成を示すブロック図（ｂ）である。
【図３】本発明の実施の形態に係る、花壇の推薦表示と発注要求の処理に関するフローチャートの一例を示す図である。
【図４】本発明の実施の形態に係る、ホーム画面の一例を示す図である。
【図５】本発明の実施の形態に係る、花壇の形状及び面積に関する情報を修正するための形状等修正画面の一例を示す図である。
【図６】本発明の実施の形態に係る、花壇を構成する各領域の色を修正するための色修正画面の一例を示す図である。
【図７】本発明の実施の形態に係る、花壇の形状を構成する各領域に配植する植物の種類を修正するための植物修正画面の一例を示す図である。
【図８】本発明の実施の形態に係る、植物データテーブルの一例を示す図である。
【図９】本発明の実施の形態に係る、視点変更指示及び／又は時期変更指示を入力するための視点等入力画面の一例を示す図である。
【図１０】本発明の実施の形態に係る、推薦表示する花壇画像を注文履歴に基づいて作製する処理に関するフローチャートの一例を示す図である。
【図１１】本発明の実施の形態に係る、注文履歴テーブルの一例を示す図である。
【図１２】本発明の実施の形態に係る、推薦花壇テンプレートテーブルの一例を示す図である。
【図１３】本発明の実施の形態に係る、ウェブサイトの頻出ワードをもとに推薦花壇テンプレートを作製する処理に関するフローチャートの一例を示す図である。
【図１４】本発明の実施の形態に係る、頻出ワードテーブルの一例を示す図である。
【図１５】本発明の実施の形態に係る、花壇コンテストの表示画面の一例を示す図である。
【図１６】本発明の実施の形態に係る、花壇コンテストテーブルの一例を示す図である。
【図１７】本発明の実施の形態に係る、属性テーブルの一例を示す図である。
【図１８】本発明の実施の形態に係る、統計テーブルの一例を示す図である。
【図１９】本発明の実施の形態に係る、花壇画像の評価を入力する花壇評価入力画面の一例を示す図である。
【図２０】本発明の実施の形態に係る、確率テーブルＡの一例を示す図である。
【図２１】本発明の実施の形態に係る、花壇選択肢を推薦表示する確率Ａを更新する処理に関するフローチャートの一例を示す図である。
【図２２】本発明の実施の形態に係る、確率テーブルＢの一例を示す図である。
【図２３】本発明の実施の形態に係る、花壇選択肢を推薦表示する確率Ｂを更新する処理に関するフローチャートの一例を示す図である。
【図２４】本発明の実施の形態に係る、花壇を一から作製して受発注する処理に関するフローチャートの一例を示す図である。
【発明を実施するための形態】
【００２３】
以下、添付図面を参照して、本発明の実施の形態について説明をする。以下、効果に関する記載は、本発明の実施の形態の効果の一側面であり、ここに記載するものに限定されない。また、以下で説明するフローチャートを構成する各処理の順序は、処理内容に矛盾や不整合が生じない範囲で順不同である。
【００２４】
本実施の形態に係る花壇受発注システムは、花壇に関する情報を記憶する花壇記憶手段と、所定の条件に基づいて、花壇を推薦表示する花壇推薦表示手段と、推薦表示された花壇の発注要求を送信する発注要求送信手段と、発注要求を受信する発注要求受信手段とを備えるものである。上記構成により、ユーザは花壇を一から設計しなくても、簡便な方法で花壇を発注することができるようになる。
【００２５】
なお、本明細書において「花壇」とは、花だけを植栽したものに限らず、花以外の草木など、植物全般を植栽したものを指す。
【００２６】
＜花壇受発注システムの構成＞
図１は、本発明の実施の形態に係る、花壇受発注システムの構成を示す図である。図示するように、本実施の形態に係る花壇受発注システムは、複数のユーザ端末１（ユーザ端末１ａ、１ｂ、１ｃ・・・）と、通信ネットワーク２と、サーバ装置３とから構成される。
【００２７】
ユーザ端末１は、ユーザが、花壇画像の閲覧や、花壇の受発注などを行うための端末である。ユーザ端末１としては、例えば、パーソナルコンピュータ、スマートフォン、タブレット端末、携帯電話、ＰＤＡ等が挙げられるが、これらに限定されない。ユーザ端末１は、通信ネットワーク２を介してサーバ装置３と接続可能な装置であれば良い。
【００２８】
通信ネットワーク２は、例えば、インターネット、有線又は無線の公衆電話網、有線又は無線ＬＡＮ、専用回線等、有線又は無線の公知の各種の通信ネットワークを用いることができる。
【００２９】
サーバ装置３は、ユーザ端末１との間で情報を送受信したり、ユーザ端末１との通信履歴を記憶して分析したりするための管理・運営用サーバである。
【００３０】
図２（ａ）は、本発明の実施の形態に係る、ユーザ端末の構成を示すブロック図である。図示するようにユーザ端末１は、制御部１１、ＲＡＭ１２、表示部１３、記憶部１４、センサ部１５、及び通信インタフェース１６等を具備しており、通信インタフェース１６により通信ネットワーク２と接続が可能である。
【００３１】
制御部１１は、記憶部１４等に格納されたプログラムやデータを参照し、実行する。ＲＡＭ１２は、制御部１１のワークエリアである。表示部１３に備えられたタッチパネル１３ｂに対するユーザによる操作、及びセンサ部１５が検知した情報は、入力情報としてＲＡＭ１２に格納され、制御部１１は入力情報をもとに各種の演算処理を実行する。
【００３２】
表示部１３は、花壇を推薦表示したり、推薦表示された花壇を修正したりするなどの配植計画をユーザが行うために必要な情報や、ユーザの選択によって特定される花壇の状態などを示す画像を表示する表示画面１３ａを有する。また、表示部１３は、指やスタイラス等による押圧や、パネル上における指等の位置の移動を検知し、その座標位置の変化等を検出するタッチパネル１３ｂを有する。なお、表示画面１３ａとタッチパネル１３ｂとは、一体的に構成されていてもよい。
【００３３】
記憶部１４は、プログラムやデータを保存するための記憶領域として用いられるものであり、サーバ装置３から受信したデータを記憶することができる。
【００３４】
センサ部１５は、ＧＰＳセンサを備えている。また、その他の各種センサを備えていてもよく、各種センサとしては、例えば、指紋認証センサ、近接センサ、加速度センサ、ジャイロセンサ、磁力センサ、輝度センサ、又は気圧センサ等が挙げられる。
【００３５】
図２（ｂ）は、本発明の実施の形態に係る、サーバ装置の構成を示すブロック図である。図示するようにサーバ装置３は、制御部３１、ＲＡＭ３２、記憶部３３、及び通信インタフェース３４等を具備しており、通信インタフェース３４により通信ネットワーク２と接続が可能である。
【００３６】
制御部３１は、記憶部３３に格納されたプログラムやデータを参照し、実行する。ＲＡＭ３２は、制御部３１のワークエリアである。記憶部３３には、ユーザ端末１において入力されたデータであって、通信インタフェース３４を経由して受信したデータ等が記憶される。
【００３７】
＜ユーザ端末１の機能＞
次に、ユーザ端末１の主要な機能について説明をする。ユーザ端末１は、花壇推薦表示機能、選択受付機能、発注要求送信機能、ウェブサイト指定機能、評価入力機能、及び属性入力機能などを有する。
【００３８】
花壇推薦表示機能は、所定の条件に基づいて、花壇画像を推薦表示する機能を有する。花壇推薦表示機能は、ユーザが好む可能性のある花壇画像を比較的高い確率で表示画面１３ａに推薦表示する。例えば、表示画面１３ａにおける所定の選択肢表示領域に、花壇画像の選択肢を複数表示することができる。
【００３９】
選択受付機能は、花壇選択肢の選択を受け付ける機能を有する。所定の選択肢表示領域に複数表示された花壇画像の選択肢について、タップ等の所定の操作が行われることにより、ユーザ端末１は、花壇選択肢の選択を受け付けることができる。
【００４０】
発注要求送信機能は、推薦表示された花壇の発注要求を送信する機能を有する。発注要求送信機能は、ユーザの配植計画に基づいて花壇を作製する際に必要となる植物の種及び／又は苗に関する発注要求を、通信インタフェース１６を介してサーバ装置３に送信する。
【００４１】
ウェブサイト指定機能は、ユーザによるウェブサイトの指定を可能にする機能を有する。ユーザはお気に入りのウェブサイトのＵＲＬを指定して入力することにより、ユーザの好みを花壇受発注システムに学習させることができる。具体的には、ユーザによって指定されたウェブサイトにおける頻出ワードが特定され、当該頻出ワードと関連付けられた花壇画像がユーザ端末１に推薦表示されるようになる。
【００４２】
評価入力機能は、花壇についてのユーザの評価を入力するための機能を有する。ユーザは、花壇コンテストの表示画面などにおいて、好みの花壇について投票することで、花壇の評価を入力することができる。投票数の多い花壇画像は、ユーザの評価が高い花壇画像として、多くのユーザ端末１において推薦表示されやすくなる。
【００４３】
属性入力機能は、ユーザの属性を入力するための機能を有する。入力されたユーザの属性は、ユーザの属性について統計を取得するために用いられる。属性としては、性別、年齢、居住地域、出身地、年収、及び職業などを入力することができる。
【００４４】
続いて、ユーザ端末１のその他の機能について説明をする。ユーザ端末１は、花壇形状入力機能、植付時期入力機能、植物配置入力機能、配植計画送信機能、花壇状態画像受信機能、視点変更指示機能、時期変更指示機能、変更指示送信機能、及び種苗数受信機能などを有する。
【００４５】
花壇形状入力機能は、ユーザが希望する花壇の形状及び面積に関する情報を入力する機能を有する。花壇の形状に関する情報の入力は、例えば、表示画面１３ａに複数の正方形からなるマス目を表示し、マス目をタップする等の操作によって、表示画面１３ａ上においてユーザの希望する花壇の形状を作製させることで行われる。また、花壇の面積に関する情報の入力は、例えば、マス目を形成する正方形の一辺の長さに対応する実際の長さをユーザに入力させることで行われる。
【００４６】
植付時期入力機能は、ユーザが希望する植物の植え付け時期及び／又は鑑賞時期に関する情報を入力する機能を有する。植え付け時期等の入力は、例えば、表示画面１３ａに、１年間をバー表示にて表示させ、バー上をスワイプする等の操作によって行われる。なお、植物の植え付け時期や開花時期は地域によって多少の前後があるため、植付時期入力機能は、さらに、花壇を作製する地域に関する情報を入力する機能を備えていることが好ましい。なお、花壇を作製する地域に関する情報は、センサ部１５に備えられたＧＰＳセンサによって検出されるユーザ端末１の現在位置や、予め登録されたユーザの住所を花壇作製地域とすることで、入力を省略するように構成してもよい。
【００４７】
植物配置入力機能は、花壇における植物の配置及びその種類を、花壇を構成する領域ごとに、入力する機能を有する。植物の配置及びその種類の入力は、例えば、表示画面１３ａに表示された花壇を構成する複数のマス目について、各マス目ごとに、ユーザの希望する色及び植物を選択させることで行われる。例えば、色の選択入力は、ユーザが表示画面１３ａ上における花壇を構成するマス目をタップする等の操作をした場合に、複数の色からなるカラーパレット６３をポップアップ表示し、カラーパレット６３に表示された色の中から、タップしたマス目に対して希望する色をユーザに選択させることで行われる。また、植物の種類の入力は、ユーザが選択した色に対応する植物に関する情報を表示画面１３ａに表示し、表示された植物の中から、希望する植物をユーザに選択させることで行われる。上述した植付時期入力機能によって植物の植え付け時期などが選択されている場合は、ユーザが選択した色に対応し、かつ、ユーザが選択した植え付け時期などに対応する植物に関する情報のみを表示画面１３ａに表示する。なお、ユーザの希望する色及び植物の入力は、複数のマス目に対して、一括して行えるものであっても良い。
【００４８】
配植計画送信機能は、ユーザによって入力された配植計画に関する情報を、通信インタフェース１６を介してサーバ装置３に送信する機能を有する。なお、本明細書において、「配植計画」とは、少なくとも、花壇の形状及び面積、並びに、花壇における植物の配置及びその種類から構成される、ユーザの花壇作製計画のことをいう。
【００４９】
花壇状態画像受信機能は、ユーザの配植計画に基づいてサーバ装置３によって作製される花壇の状態を示す画像を、通信インタフェース１６を介してサーバ装置３から受信する機能を有する。受信した花壇の状態を示す画像は、表示画面１３ａに表示される。なお、本明細書において、「花壇の状態を示す画像」とは、ユーザの配植計画に基づいて花壇を作製した場合の完成予想図のことをいう。
【００５０】
視点変更指示機能は、サーバ装置３から受信した花壇の状態を示す画像を、異なる方向及び／又は角度から視た場合の画像に変更する指示を入力する機能を有する。視点変更指示の入力は、例えば、表示画面１３ａに、所定の方向及び／又は角度に対応付けられたボタンを表示し、ユーザが希望する方向及び／又は角度に対応するボタンをタップする等の操作によって行われる。
【００５１】
時期変更指示機能は、サーバ装置３から受信した花壇の状態を示す画像を、特定の時期における花壇の状態を示す画像に変更する指示を入力する機能を有する。時期変更指示の入力は、例えば、表示画面１３ａに、１年間をバー表示にて表示させ、バー上をスワイプする等の操作によって行われる。
【００５２】
変更指示送信機能は、ユーザによって入力された視点変更指示及び／又は時期変更指示に関する情報を、通信インタフェース１６を介してサーバ装置３に送信する機能を有する。
【００５３】
種苗数受信機能は、ユーザの配植計画に基づいて花壇を作製した場合に必要となる植物の種及び／又は苗の数に関する情報を、通信インタフェース１６を介してサーバ装置３から受信する機能を有する。なお、種苗数受信機能は、さらに、花壇を構成する各領域内における植物を植える間隔、及び見積金額に関する情報を、通信インタフェース１６を介してサーバ装置３から受信する機能を有していても良い。
【００５４】
＜サーバ装置３の機能＞
次に、サーバ装置３の主要な機能について説明をする。サーバ装置３は、花壇記憶機能、注文履歴記憶機能、頻出ワード特定機能、評価記憶機能、属性記憶機能、統計取得機能、グループ記憶機能、推薦確率記憶機能、及び推薦確率増加機能などを有する。
【００５５】
花壇記憶機能は、花壇に関する情報を記憶する機能を有する。花壇に関する情報とは、例えば、植物の種類、色、植付時期、鑑賞時期、及び個別面積、並びに、花壇の面積、形状、模様、料金、及び画像などである。
【００５６】
注文履歴記憶機能は、ユーザによる花壇の発注要求を注文履歴として記憶する機能を有する。注文履歴としては、例えば、植物の種類、色、植付時期、鑑賞時期、及び個別面積、並びに、花壇の面積、形状、模様、料金、及び画像などを記憶することができる。
【００５７】
頻出ワード特定機能は、所定のウェブサイトの頻出ワードを特定する機能を有する。ユーザが指定した所定のウェブサイトにおいて頻出ワードを特定することにより、ユーザの好みを学習することができる。頻出ワードを特定した後、特定された頻出ワードと関連付けられた花壇画像が推薦表示される。
【００５８】
評価記憶機能は、花壇についてのユーザの評価を記憶する機能を有する。ユーザの評価は、花壇コンテストなどによって、ユーザに好みの花壇について投票してもらうことによって取得することができる。取得された投票情報は、花壇画像の評価として記憶することができる。
【００５９】
属性記憶機能は、ユーザの属性及び他のユーザの属性を記憶する機能を有する。記憶された属性は、属性について統計を取得するために用いられる。属性としては、性別、年齢、居住地域、出身地、年収、及び職業などを記憶することができる。
【００６０】
統計取得機能は、属性について統計を取得する機能を有する。他のユーザの属性についての統計と、当該他のユーザが注文した花壇の画像から、属性と関連性の高い花壇画像を特定し、共通する属性を有するユーザに対して、特定された花壇画像を推薦表示するための機能である。
【００６１】
グループ記憶機能は、花壇の選択肢をグループ化して記憶する機能を有する。例えば、ある花壇が選択された場合に、当該花壇と関連付けられたグループを特定することにより、特定されたグループと関連付けられている他の花壇の画像も、ユーザが好む可能性が高いものであると学習することができる。
【００６２】
推薦確率記憶機能は、花壇の選択肢ごとに、選択肢を推薦表示する確率を記憶する機能を有する。ユーザが好む可能性が高い花壇選択肢について、推薦表示する確率を高く設定し、ユーザが好む可能性が高くない花壇選択肢について、推薦表示する確率を低く設定することなどにより、ユーザの好みに合った花壇画像を推薦表示できる可能性が高くなる。
【００６３】
推薦確率増加機能は、選択を受け付けた選択肢のグループに包含される選択肢について、選択を受け付けた後であって、再度、推薦表示をする前に、選択肢を推薦表示する確率を所定の条件で増加させる機能を有する。例えば、ある花壇が選択された場合に、当該花壇と関連付けられたグループを特定し、特定されたグループと関連付けられている他の花壇の画像について、推薦表示される確率を高くすることにより、ユーザが好む花壇画像を推薦表示できる可能性を高くすることができる。
【００６４】
続いて、サーバ装置３のその他の機能について説明をする。サーバ装置３は、配植計画受信機能、植物配置特定機能、表示データ記憶機能、花壇状態描画機能、花壇状態画像送信機能、変更指示受信機能、種苗数算出機能、種苗数送信機能、発注要求受信機能、及び受注確定機能などを有する。
【００６５】
配植計画受信機能は、ユーザによって入力された配植計画に関する情報を、通信インタフェース１６を介してユーザ端末１から受信し、記憶部３３に記憶する機能を有する。
【００６６】
植物配置特定機能は、配植計画受信機能によって受信したユーザの配植計画に基づいて、花壇を構成する複数の領域について、領域ごとに、異なる色及び／又は異なる種類の植物の配置を特定する機能を有する。
【００６７】
表示データ記憶機能は、ガーデニングに用いられる植物に関する表示データを記憶する機能を有する。表示データ記憶機能に記憶される表示データとしては、例えば、複数のポリゴンによって構成されるグラフィックデータが好ましい。また、表示データとしては、異なる色及び／又は異なる種類の植物ごとに、入力可能な花壇に対する方向や角度に対応した、複数の異なる方向又は角度から植物を視た写真データであっても良い。
【００６８】
花壇状態描画機能は、植物配置特定機能によって特定される花壇の状態を示す画像を、表示データ記憶機能に記憶された表示データをもとに、花壇における各領域の配置、及び、各領域に配置された植物に応じて、描画する機能を有する。
【００６９】
描画される画像は、仮想３次元空間内の花壇の状態を仮想スクリーンで透視変換することで得られる、２次元画像であることが好ましい。仮想３次元空間内には、配植された植物についてのオブジェクトが設けられており、仮想カメラの位置を変更することで、異なる角度から視た花壇の状態を、２次元画像として表示することが可能となる。
【００７０】
なお、仮想カメラの位置に応じて、仮想スクリーンの位置が決定され、仮想スクリーン上に投影された画像が２次元画像として表示される。透視変換により仮想スクリーン上に投影した画像を生成する場合には、前面に他の物体があって隠されてしまう面を消去する隠面消去が行われる。隠面消去の方法としては、例えば、Ｚバッファ法を用いることができる。
【００７１】
仮想３次元空間内のグラフィックデータは、例えば、複数のポリゴンによって構成されていてもよい。仮想３次元空間に配植された植物オブジェクトのそれぞれは、植物の形状を表現できるように配置された複数のポリゴンによって構成されている。これらのポリゴンは、ローカル座標系で各頂点の座標を特定することにより、定義される。
【００７２】
植物配置特定機能により、花壇を構成する複数の領域ごとに、異なる色及び／又は異なる種類の植物の配置が特定されると、仮想空間内における各領域に、特定された植物についての植物オブジェクトが配置される。これらの配置された植物オブジェクト（例えば、花壇の中心）が、仮想カメラの焦点となる。ユーザにより花壇に対する方向や角度の変更が入力されると、仮想カメラの焦点の位置は固定されたまま、仮想カメラの位置だけが変更され、花壇に対して、異なる方向や角度から視た画像を取得することができる。この場合、花壇に対する方向や角度は、連続的に変更できるようにしてもよく、不連続で段階的に変更できるようにしてもよい。
【００７３】
また、植物の植付け時からの経過時間に応じて、表示画面に表示される花壇の状態を変化させることも可能である。ポリゴンにより構成される植物オブジェクトは、異なる色及び／又は異なる種類の植物ごとに、植物の植付け時からの経過時間に応じて複数のオブジェクトデータが予め記憶されている。ユーザにより表示の対象となる時期の変更が入力されると、各領域に配置された植物オブジェクトが、植物の色や種類ごとに、変更後の時期に相当する植物オブジェクトに差し替えられる。このような構成とすることで、花壇内の植物の成長する様子や変化する様子を確認することができるため、時期に応じては一部の花が咲いていて、一部の花は咲いていないなどのバランスの悪さを、事前に知ることも可能となる。
【００７４】
仮想３次元空間内のグラフィックデータとしては、ポリゴンにより構成されるオブジェクトとは異なり、写真データを用いることができる。写真データは、異なる色及び／又は異なる種類の植物ごとに、入力可能な花壇に対する方向や角度に対応した、複数の異なる方向又は角度から植物を視た写真データが予め記憶されている。この場合、花壇に対する方向や角度は段階的に変更することが可能となる。植物配置特定機能により、花壇を構成する複数の領域ごとに、異なる色及び／又は異なる種類の植物の配置が特定されると、各領域に、特定された植物についての写真データが、仮想カメラの視軸に垂直になるように配置される。
【００７５】
花壇に対する方向や角度の変更が入力されると、配置されていた写真データは、変更後の花壇に対する方向に応じた写真データに差し替えられる。差し替えられた写真データも、仮想カメラの視軸に垂直になるように配置される。このような構成とすることで、写真データを用いて配植された植物を２次元画像として表現できるため、花壇の様子をより現実に近い状態で表示することができる。
【００７６】
また、植物の植付け時からの経過時間に応じて、表示画面に表示される花壇の状態を変化させることも可能である。写真データは、異なる色及び／又は異なる種類の植物ごとに、植物の植付け時からの経過時間に応じて複数の写真データが予め記憶されている。ユーザにより表示の対象となる時期の変更が入力されると、各領域に配置された写真データが、植物の色や種類ごとに、変更後の時期に相当する写真データに差し替えられる。
【００７７】
また、より簡易的な方法としては、花壇を構成する複数の領域ごとに、異なる色及び／又は異なる種類の植物の配置が特定されると、各領域に配置された植物に応じた色や模様の立方体のオブジェクトを配置し、これらの立方体のオブジェクトを、仮想スクリーンで透視変換することで２次元画像を取得することができる。この場合、花壇に対する方向や角度の変更が入力されると、仮想カメラの焦点の位置は固定されたまま、仮想カメラの位置が変更され、花壇に対して、異なる方向や角度から視た画像を取得することができる。花壇に対する方向や角度は、連続的に変更できるようにしてもよく、不連続で段階的に変更できるようにしてもよい。このような構成とすることで、処理負荷を小さく抑えながら、花壇の状態を角度や方向を変えて表示することができる。
【００７８】
花壇状態画像送信機能は、花壇状態描画機能により描画された花壇の状態を示す画像に関する情報を、通信インタフェース１６を介してユーザ端末１に送信する機能を有する。
【００７９】
変更指示受信機能は、ユーザによって入力された視点変更指示及び／又は時期変更指示に関する情報を、通信インタフェース１６を介してユーザ端末１から受信する機能を有する。視点変更指示及び／又は時期変更指示を受信すると、花壇状態描画機能によって、受信した変更指示に応じた画像が描画され、花壇状態画像送信機能により、通信インタフェース１６を介してユーザ端末１に送信される。
【００８０】
種苗数算出機能は、ユーザの配植計画に基づいて花壇を作製した場合に必要となる植物の種及び／又は苗の数に関する情報を算出する機能を有する。なお、種苗数算出機能は、さらに、花壇を構成する各領域内における植物を植える間隔、及び見積金額を算出する機能を有していても良い。
【００８１】
種苗数送信機能は、種苗数算出機能により算出された、ユーザの配植計画に基づいて花壇を作製する場合に必要となる植物の種及び／又は苗の数に関する情報を、通信インタフェース１６を介してユーザ端末１に送信する機能を有する。なお、種苗数送信機能は、さらに、花壇を構成する各領域内における植物を植える間隔、及び見積金額に関する情報を、通信インタフェース１６を介してユーザ端末１に送信する機能を有していても良い。
【００８２】
発注要求受信機能は、ユーザの配植計画に基づいて花壇を作製する際に必要となる植物の種及び／又は苗に関する発注要求に関する情報を、通信インタフェース１６を介してユーザ端末１から受信し、記憶部３３に記憶する機能を有する。受注確定機能は、発注要求受信機能により受信した発注要求に関する情報を、受注情報として確定する機能を有する。
【００８３】
＜アプリケーションの起動＞
続いて、本発明の実施の形態の前提について説明する。本発明の実施の形態の一例として、例えば、スマートフォンにインストールされるアプリケーションが挙げられる。ユーザ端末１においてアプリケーションを起動すると、起動に関する情報として、例えば、ユーザ端末１に付与された識別情報等を取得する。さらに、ユーザを識別するために、サーバ装置３と通信し、予め付与されたユーザのアカウントを用いてログインする構成としてもよいし、起動時に取得したユーザ端末１の識別情報をサーバ装置３へ送信してもよい。ユーザ端末１の識別情報又はログインする際のユーザのアカウントは、ユーザを識別する一意のデータであり、ユーザＩＤとしてサーバ装置３に記憶される。
【００８４】
ユーザの個人情報は、ユーザＩＤに関連付けてサーバ装置３に記憶される。記憶される個人情報の項目としては、例えば、「氏名」、「性別」、「生年月日」、「住所」、「電話番号」、「メールアドレス」、「パスワード」、「支払い方法」、「クレジットカード番号」、「利用履歴」などが挙げられる。ユーザの氏名等は、アプリケーションの初回利用時にユーザによって入力される情報が記憶される。
【００８５】
＜花壇の推薦表示＞
図３は、本発明の実施の形態に係る、花壇の推薦表示と発注要求の処理に関するフローチャートの一例を示す図である。ユーザがログインした後、花壇受発注システムは、ユーザ端末１の表示画面１３ａに、図４に記載のホーム画面などを表示して、花壇の選択肢を推薦表示する（ステップＳ１１）。
【００８６】
図４は、本発明の実施の形態に係る、ホーム画面の一例を示す図である。ホーム画面４０には、お気に入りアイコン４１、カートアイコン４２、選択肢表示領域４３、花壇選択肢４４ａ〜４４ｄ、選択肢切替アイコン４５ａ及び４５ｂ、一覧表示アイコン４６、花壇設計アイコン４７、並びにコンテストアイコン４８が表示される。
【００８７】
選択肢表示領域４３には、花壇選択肢４４ａ〜４４ｄ、並びに選択肢切替アイコン４５ａ及び４５ｂが表示される。ユーザは、選択肢切替アイコン４５ａ又は４５ｂをタップ等することにより、花壇選択肢４４ａ〜４４ｄ以外の花壇選択肢を表示することもできる。上記構成により、比較的大きい画像で複数の花壇を推薦表示することができる。
【００８８】
一覧表示アイコン４６は、選択肢表示領域４３に推薦表示される花壇選択肢４４ａ〜４４ｄ以外にも、さらに多くの花壇選択肢を一覧表示するためのものである。ユーザは、一覧表示アイコン４６をタップ等することにより、より多くの花壇選択肢を表示画面１３ａに一覧表示することができる。
【００８９】
上記のような態様で表示される花壇の選択肢がタップ等の操作によって選択された後（ステップＳ１２）、花壇の形状及び／又は大きさを修正できる画面に移行する（ステップＳ１３）。
【００９０】
＜花壇の形状及び面積の修正＞
図５は、本発明の実施の形態に係る、花壇の形状及び面積に関する情報を修正するための形状等修正画面の一例を示す模式図である。ユーザは、推薦表示された花壇を修正したい場合に、所定の操作により、図５に記載のような形状等修正画面５０を表示画面１３ａに表示できる。形状等修正画面５０には、複数の正方形のマス目５１から構成される花壇形状入力領域５２、マス目５１の一辺の長さに対応する実際の長さを入力する長さ入力領域５３、並びに、花壇形状入力領域５２及び長さ入力領域５３に入力された情報を確定させる決定ボタン５４を表示できる。
【００９１】
ユーザは、表示画面１３ａに表示されたマス目５１をタップすることで、花壇の形状の修正を行う。ユーザにタップされたマス目５１は、花壇の形状を構成する領域としてユーザに選択されたマス目であり、花壇を構成していない領域とは異なる色で表示されるようになる。このように花壇を構成しているマス目を、花壇を構成していないマス目とは異なる色で表示することで、現在、花壇の形状がどのような形状であるかを、明確にすることができる。例えば、図５のように、マス目５１ａ〜ｆが、その他のマス目５１とは異なる色で表示されている場合、マス目５１ａ〜ｆによって形成される形状が、花壇の形状となる。なお、花壇を構成しているマス目であることを示す態様は、花壇を構成しているマス目によって形成される形状の外枠を太線や色付きの線で表示したり、花壇を構成しているマス目に斜線などのパターンを付したりする態様によって行っても良い。
【００９２】
ユーザが、表示画面１３ａに表示された長さ入力領域５３をタップすると、マス目５１の一辺の長さに対応する実際の長さとして選択可能な長さがプルダウンで表示される。ユーザはプルダウンで表示された選択可能な長さの中から、希望する長さを選択することで、花壇の面積を修正できる。なお、選択可能な長さは、直接数値を入力することによって行っても良い。ユーザは、決定ボタン５４をタップすることで、花壇の形状及び面積を決定する。
【００９３】
＜植物の色の修正＞
図６は、本発明の実施の形態に係る、花壇を構成する各領域の色を入力するための色修正画面の一例を示す模式図である。ステップＳ１３における花壇の形状及び／又は面積の修正が完了した後、又は、ステップＳ１３において花壇の形状及び／又は面積を修正せずにスキップした後に、図６に記載のような色修正画面６０が、表示画面１３ａに表示される。色修正画面６０をタップする等の操作によって、花壇を構成する各領域の色を修正できる（ステップＳ１４）。
【００９４】
表示画面１３ａには、花壇を構成する複数の正方形のマス目６１、色選択開始ボタン６２、カラーパレット６３、及び入力された色情報を確定させる決定ボタン６４を表示できる。ユーザは、表示画面１３ａに花壇を構成する領域として表示されたマス目６１をタップすることで、色の修正を行うマス目６１を選択する。色の修正を行うマス目６１は、同時に複数のマス目を選択することができる。
【００９５】
次に、色選択開始ボタン６２をタップすると、複数の色から構成されたカラーパレット６３がポップアップ表示される。ユーザは、カラーパレット６３に含まれる色の中から希望する色を選択することで、選択されたマス目６１に対する色の修正を行う。なお、色選択開始ボタン６２を設けずに、最初からカラーパレット６３を表示画面１３ａに表示していても良い。また、色の修正を行うマス目６１を選択した際に、カラーパレット６３がポップアップ表示されるように構成しても良い。全てのマス目６１について色の入力が完了した状態で決定ボタン６４をタップすると、色の修正が完了する。
【００９６】
図６において、マス目６１ａ〜ｃは、既に色の入力がされたマス目であり、マス目６１ａ〜ｃには入力された色が表示されている。マス目６１ｄ及びｅは、現在、ユーザが色の修正を行うマス目として選択しているマス目である。マス目６１ｄ及びｅは、ハイライト表示されたり、外枠を太線や色付きの線で表示されたり、斜線などのパターンを付されたりする等の態様により、ユーザに選択されているマス目であることが明確に示される。カラーパレット６３に含まれる色の中から、ユーザが希望する色を選択することで、マス目６１ｄ及びｅの色が入力される。マス目６１ｆは、色の入力がされておらず、色の入力を行うマス目としても選択されていないマス目である。
【００９７】
＜植物の種類の修正＞
図７は、本発明の実施の形態に係る、花壇を構成する各領域に配植する植物の種類を修正するための植物修正画面の一例を示す模式図である。花壇を構成する各領域の色が決定されると、図７に記載のような、各領域に配植する植物の種類を修正するための植物修正画面７０が表示画面１３ａに表示される。入力画面をタップする等の操作によって、花壇を構成する各領域に植える植物の種類が決定される（ステップＳ１４）。
【００９８】
表示画面１３ａには、図７に記載のような植物修正画面７０を表示できる。植物修正画面７０には、選択対象となっている色を表示する選択対象色表示欄７１、植物画像表示欄７２、植物情報表示欄７３、及び決定ボタン７４を表示できる。
【００９９】
図７では、選択対象色表示欄７１に、「黄色の花を選択してください」というコメントが表示されており、現在、ユーザが選択しようとしている植物が、黄色を有する植物であることを示している。選択対象色表示欄７１において選択を指示される色は、ステップＳ１４でユーザが選択した色のうちの一つである。
【０１００】
植物画像表示欄７２には、選択対象色表示欄７１において選択を指示される色の花又は葉を有する植物の画像が表示される。植物情報表示欄７３には、植物画像表示欄７２に表示されている画像に対応する植物の情報が表示される。図７において植物画像表示欄７２に表示されている植物の情報は、植物の名称、種まき時期、開花時期、高さ、生育に必要な面積、花と葉の比率であるが、その他にも、耐陰性、育成難易度、価格などを表示しても良い。また、同時に複数種類の植物の画像及び／又は植物の情報を表示するように構成しても良い。
【０１０１】
ユーザは、植物修正画面７０上をスワイプする等の操作によって、希望する植物を選択し、決定ボタン７４をタップする等の操作によって、植物の種類を決定する。ステップＳ１４においてユーザが選択した色が複数ある場合、それぞれの色について、上記の選択が行われる。
【０１０２】
上記では、花壇を構成する全ての領域の色を選択した後に、選択した色に対応する植物の種類を選択する態様を説明したが、花壇を構成する少なくとも１つの領域に対する色を選択し、そのすぐ後に、その色に対応する植物の種類を選択するように構成しても良い。例えば、ステップＳ１４を、花壇を構成する領域毎に完了させていくように構成しても良い。このように構成することで、同じ色を選択する領域であっても、異なる種類の植物を配植することが可能になり、多様性のある花壇を作製することができる。
【０１０３】
図８は、本発明の実施の形態に係る、植物データテーブルの一例を示す図である。植物データテーブルにおいて、植物の色と植物の種類とを関連付けて保存しておくことにより、植物の種類をユーザが修正する際に、決定された植物の色に応じて、選択できる植物の種類を予め限定しておくことができる。
【０１０４】
植物データテーブル８０には、植物８１と関連付けて色８２が記憶されている。例えば、植物８１が「アジサイ」である場合は、色８２として「青」、「紫」、「赤」、「ピンク」、「白」など複数の色が関連付けて記憶されている。さらに、植物データテーブル８０には、植物８１と色８２と関連付けて、それぞれの植物の植付けに適した植付け時期８３、鑑賞に適した鑑賞時期８４、及び、写真データ８５が記憶されている。
【０１０５】
例えば、決定された植物の色が「青」である場合は、植物データテーブル２２０を参照して、決定された植物の色と同じ色が、色８２に登録されている植物８１だけを選択できるようにしてもよい。このような構成とすることで、ユーザが希望する植物の種類と色が存在せずに、何度も入力をやりなおすといったようなことがなくなり、ユーザにとっての利便性を高めることができる。
【０１０６】
さらには、植物の種類をユーザが修正する際には、植物の植付け時期や鑑賞時期に応じて、選択できる植物の種類を予め限定しておくことができる。この場合、ユーザが植物の色や種類を選択する前に、ユーザからの植物の植付け時期や鑑賞時期の入力を受け付けておくことが好ましい。例えば、ユーザから鑑賞時期として「４月」との入力を受け付けた場合は、植物データテーブル８０を参照して、ユーザが入力した鑑賞時期と同月の「４月」が鑑賞時期８４として登録されている植物８１だけを選択できるようにしてもよい。
【０１０７】
＜料金の算定＞
ステップＳ１４までの処理により、構成する複数の領域ごとに、植物の色・種類が特定されると、配植計画に基づいた花壇を作製するための料金が算定される（ステップＳ１５）。例えば、植物ごと或いは植物の色ごとに単位面積又は一領域あたりの料金が定められており、配植計画において選択された植物をもとに、花壇の作製に必要な合計料金が算定される。算定された料金は、表示画面１３ａに表示される。
【０１０８】
＜花壇画像の描画＞
図９は、本発明の実施の形態に係る、視点変更指示及び／又は時期変更指示を入力するための入力画面の一例を示す模式図である。花壇を構成する複数の領域ごとに、異なる色及び／又は異なる種類の植物の配置が特定されると、図９に記載のような視点等入力画面９０が表示画面１３ａに表示され、花壇の状態を示す画像が描画される（ステップＳ１６）。
【０１０９】
視点等入力画面９０には、画像表示領域９１、時期メータ９２、視点変更ボタン９３、画像保存ボタン９４を表示できる。
【０１１０】
画像表示領域９１には、ステップＳ１６において描画された花壇の状態を示す画像が表示される。花壇の状態を示す画像を描画する際には、植物データテーブル８０を参照して、花壇を構成する領域ごとに、特定された植物に対応する写真データ８５が抽出され、花壇に対する方向や角度に応じた写真データが配置される。これらの写真データが配置された仮想空間を、花壇の中心を仮想カメラの焦点として、透視変換することで、花壇の状態を示す画像が生成される。
【０１１１】
写真データ８５には、入力可能な花壇に対する方向や角度に対応した、複数の異なる方向又は角度から植物を視たデータが予め記憶されており、さらには、これらの方向や角度ごとに、植物の植付け時からの経過時間に応じて複数のデータが予め記憶されている。なお、ここでは、写真データ８５が記憶されることとしたが、ポリゴンにより定義されるオブジェクトデータであってもよい。オブジェクトデータは、植物の植付け時からの経過時間に応じて複数のデータが予め記憶されている。
【０１１２】
ユーザが、視点変更指示及び／又は時期変更指示を行なった場合（ステップＳ１７にてＹＥＳ）、ユーザの変更指示に基づいて、花壇の状態を示す画像が描画され、表示画面１３ａに新たに表示される（ステップＳ１６）。花壇に対する方向や角度の変更が入力されると、植物データテーブル８０を参照して、配置されていた写真データから、変更後の花壇に対する方向に応じた写真データに差し替えられ、再度、画像が生成される。また、ユーザにより表示の対象となる時期の変更が入力されると、植物データテーブル８０を参照して、各領域に配置された写真データから、変更後の時期に相当する写真データに差し替えられ、再度、画像が描画される。
【０１１３】
時期メータ９２は、画像表示領域９１に表示された画像の時期の変更を指示するためのメータであり、１年間がバー表示にて表示されている。ユーザは、時期メータ９２上をスワイプする等の操作によって、植物の植付け時からの経過時間に応じて、表示画面１３ａに表示される花壇の状態を変化させることができる。
【０１１４】
視点変更ボタン９３は、花壇の状態を示す画像を描画する視点の変更を指示するためのボタンである。ユーザは、視点変更ボタン９３をタップする等の操作によって、花壇に対して異なる方向や角度から視た画像を取得することができる。例えば、視点変更ボタン９３ａがタップされると、画像表示領域９１に表示されている花壇の状態を示す画像の視点と花壇の中心を結んだ直線に対して、視点を左方向に所定の距離だけ移動させた画像が表示される。また、視点変更ボタン９３ｄがタップされると、画像表示領域９１に表示されている花壇の状態を示す画像の視点と花壇の中心点を結んだ直線に対して、視点を右方向に所定の距離だけ移動させた画像が表示される。また、視点変更ボタン９３ｂ又は９３ｃがタップされると、画像表示領域９１に表示されている花壇の状態を示す画像の視点を、高さ方向に所定の距離だけ上昇又は下降させた視点から花壇の中心を視た画像が表示される。
【０１１５】
なお、図９では、花壇に対する方向や角度を不連続で段階的に変更する場合を示したが、視点変更指示の、花壇に対する方向や角度を連続的に変更できるようにするものでも良い。花壇に対する方向や角度の連続的な変更は、例えば、画像表示領域９１をスワイプする等の操作によって行われる。この場合、スワイプする方向及び長さに応じて、花壇に対する視点が変更される。
【０１１６】
＜花壇の仮登録＞
画像保存ボタン９４は、画像表示領域９１に表示されている花壇の状態を示す画像及び／又は表示されている花壇の状態を示す画像に対応するユーザの配植計画を、ユーザ端末１及び／又はサーバ装置３に仮登録して保存するためのものである。保存された画像等は、通信ネットワーク２を介して、他のユーザと共有することもできる。共有された花壇の状態を示す画像等は、ユーザ間で自由に閲覧ができるようになる。ユーザは、共有された画像や配植計画に基づいて、又は編集して、配植計画を行うことも可能である。
【０１１７】
ステップＳ１６において視点等入力画面９０に表示される花壇の状態を表す画像に対してユーザが納得した場合は、視点変更指示及び／又は時期変更指示を行なわず（ステップＳ１７にてＮＯ）、ユーザ端末１を操作指示することで、配植計画を行った花壇をいわゆる「ショッピングカート」に入れるなど、仮登録をすることができる（ステップＳ１８）。ユーザは、引き続き、別の花壇について配植計画を行うことができ、ショッピングカートに入れた花壇をまとめて購入することもできる。ショッピングカートに入れた花壇は、例えば、図４に記載のホーム画面４０において、カートアイコン４２をタップ等する操作によって表示できる。
【０１１８】
上記の配植計画を行うことで、形状が特定され、各領域の色・花の種類が選択された花壇について、サーバ装置３に記憶しておき、花壇受発注システムからログアウトした後に、再度、ログインし、この花壇について発注を行うこともできる。「ショッピングカート」に入れられることで仮登録された花壇についても、同様に、サーバ装置３に記憶しておくことができる。これらの配植計画が行われた花壇は、ユーザ端末１の識別情報と関連付けて、花壇の内容が記憶される。
【０１１９】
＜花壇の発注＞
ステップＳ１８において、配植計画を行った花壇について仮登録を行うと、ユーザ端末１の表示画面１３ａには、発注を確定させるための発注ボタンが表示される。また、表示画面１３ａには、ショッピングカートに入れられた花壇を発注した場合の費用も表示される。費用については、ショッピングカートに入れられた花壇の個別の費用と、ショッピングカートに入れられた複数の花壇の合計の費用が表示される。ユーザは、花壇を発注した場合の合計の費用を確認したうえで、ショッピングカートに入れられた花壇の一部をショッピングカートから削除したり、或いは、ショッピングカートに入れられた花壇の一部の配植計画を再度、行ったりすることができる。ショッピングカートに入れられた花壇の一部の配植計画の見直しを行う場合は、見直し対象の花壇について、上記一連処理を再度行う。
【０１２０】
ユーザの操作指示により、発注ボタンがタップされて発注要求の入力が受け付けられると（ステップＳ１９）、サーバ装置３に発注要求が送信される（ステップＳ２０）。この場合、ショッピングカートに入れられて仮登録された全ての花壇が、発注要求の対象となる。ユーザは、ユーザが行った配植計画に基づいて花壇の宅配及び作製を発注することができるが、花壇を作製する際に必要となる植物の種、苗などを発注することもできる。花壇の宅配及び作製を発注するか、或いは、植物の種、苗などの宅配のみを発注するかについて、ユーザが選択できるようにしてもよい。
【０１２１】
ステップＳ２０において、ユーザの発注要求がサーバ装置３に送信されると、サーバ装置３にて発注内容が受信され、発注の内容が、サーバ装置３の記憶部３３に記憶されて、受注が確定される。本発明の花壇受発注システムの運営者は、発注された内容にしたがって、受注をした植物の種や苗を準備し、或いは、花壇を作製し、予め登録されたユーザ住所に配送を行う。
【０１２２】
＜注文履歴に基づく推薦花壇テンプレートの作製＞
次に、ユーザの注文履歴に基づいて、推薦花壇テンプレートを作製する処理について説明する。本実施の形態に係る花壇受発注システムは、ユーザによる花壇の発注要求を注文履歴として記憶する注文履歴記憶手段を備え、花壇推薦表示手段が、注文履歴に基づいて、花壇を推薦表示するものであることが好ましい。上記構成により、ユーザの注文履歴に基づいて、ユーザの好みに合った花壇を推薦することができる。
【０１２３】
推薦花壇テンプレートとは、ユーザが好むと予測される花壇の雛型であり、花壇を構成するために必要な情報を備えたものである。花壇を構成するために必要な情報とは、花壇の形状及び面積並びに植物の種類及び配置に関する情報がひとまとまりとなった情報などである。推薦花壇テンプレートは、下記のように、ユーザの注文履歴などから生成することができる。
【０１２４】
図１０は、本発明の実施の形態に係る、推薦表示する花壇画像を注文履歴に基づいて作製する処理に関するフローチャートの一例を示す図である。まず、サーバ装置３の制御部３１は、記憶部３３に記憶された注文履歴テーブル１００から、ユーザの注文履歴を読み込む（ステップＳ２１）。
【０１２５】
図１１は、本発明の実施の形態に係る、注文履歴テーブルの一例を示す図である。注文履歴テーブル１００には、ユーザＩＤ１０１と関連付けて、注文履歴ＩＤ１０２及び注文履歴１０３が記憶されている。注文履歴ＩＤ１０２に関連付けて記憶されている注文履歴１０３の項目としては、植物名１０４、色１０５、植付時期１０６、鑑賞時期１０７、個別面積１０８、花壇面積１０９、形状１１０、模様１１１、料金１１２、及び画像ＩＤ１１３などがある。
【０１２６】
次に、注文履歴から、花壇の形状及び大きさを特定する（ステップＳ２２）。注文履歴１０３から特定できる形状１１０については、ユーザがマス目の選択操作によって形成した花壇の形状に関する情報を記憶させる態様としてもよいし、ユーザがマス目の選択操作によって形成した花壇の形状に関する情報を、あらかじめ登録しておいた一般的な形状に関する情報と照合して、当該一般的な形状に関する情報を注文履歴として記憶させる態様としてもよい。
【０１２７】
花壇の形状に関する情報としては、ユーザが過去に選択した形状に関する情報を呼び出してもよいし、ある形状と類似する一般的な形状に関する情報を注文履歴として記憶部３３にあらかじめ記憶させておき、当該類似する一般的な形状に関する情報を呼び出してもよい。ユーザが過去に選択した形状又はそれに類似する一般的な形状のうち、ユーザが過去に選択した回数の多い形状に関する情報を優先的に呼び出すようにすることが好ましい。
【０１２８】
花壇の大きさは、注文履歴１０３の花壇面積１０９から特定できる。花壇の面積に関する情報としては、ユーザが過去に選択した面積に関する情報を呼び出してもよいし、ユーザが過去に選択した面積の平均値に関する情報を呼び出してもよいし、ユーザが過去に選択した面積又はその平均値を含む一定範囲の面積の中から、所定の面積を選択して該面積に関する情報を呼び出してもよい。
【０１２９】
花壇の形状及び大きさを特定した後（ステップＳ２２）、花壇の模様を特定する（ステップＳ２３）。注文履歴１０３から特定できる模様１１１については、ユーザがマス目の選択操作によって形成した花壇の模様に関する情報を記憶させる態様としてもよいし、ユーザがマス目の選択操作によって形成した花壇の模様に関する情報を、あらかじめ登録しておいた一般的な模様に関する情報と照合して、当該一般的な模様に関する情報を注文履歴として記憶させる態様としてもよい。
【０１３０】
花壇の模様に関する情報としては、ユーザが過去に選択した模様に関する情報を呼び出してもよいし、ある模様と類似する一般的な模様に関する情報を注文履歴として記憶部３３にあらかじめ記憶させておき、当該類似する一般的な模様に関する情報を呼び出してもよい。ユーザが過去に選択した模様又はそれに類似する一般的な模様のうち、ユーザが過去に選択した回数の多い模様に関する情報を優先的に呼び出すようにすることが好ましい。
【０１３１】
花壇の模様を特定した後（ステップＳ２３）、模様によって形成された領域に割り当てる植物の色を特定する（ステップＳ２４）。注文履歴１０３から特定できる色１０５は、前述した色修正画面６０のカラーパレット６３や、植物データテーブル８０の色８２と対応する色である。
【０１３２】
過去の注文履歴について、注文頻度の高い色を特定する手段は特に限定されない。例えば、ユーザがカラーパレット６３において選択した色について、色ごとの注文頻度を取得して記憶部３３に記憶させておき、注文頻度の高い色の中から、ユーザに推薦する植物の種類を特定する態様とすることができる。
【０１３３】
なお、カラーパレット６３で選択できる植物の色が非常に多岐にわたる場合には、白色系統、ピンク色系統、赤色系統、オレンジ色系統、黄色系統、緑色系統、青色系統、及び紫色系統など、あらかじめ植物の代表的な色について系統を分類して記憶部３３に記憶させておき、カラーパレット６３で選択できる個別の色に関する情報を上記系統に関する情報と関連付けて記憶部３３に記憶させておくことで、注文頻度の高さを特定しやすくなる。
【０１３４】
植物の色を特定した後（ステップＳ２４）、植物の種類を特定する（ステップＳ２５）。植物の種類は、注文履歴１０３のうち、ユーザが過去に選択した植物の色１０５、植付時期１０６、又は鑑賞時期１０７などの情報から、それらの情報と関連性の高い植物名１０４を制御部３１が選定することにより特定される。また、注文履歴１０３として、一年草であるか若しくは多年草であるかに関する情報、又は、育成難易度をスコア化した情報などを記憶させておき、植物の種類を特定する情報として利用させてもよい。その他、注文履歴１０３として、植物の高さ、生育に必要な面積、花と葉の比率、又は耐陰性などに関する情報も、植物の種類を特定する情報として利用させてもよい。
【０１３５】
また、植付時期や鑑賞時期について、１〜３月、４〜６月、７〜９月、及び１０〜１２月など、時期を分類して記憶部３３に記憶させておき、植付時期や鑑賞時期に関する情報を上記分類された時期に関する情報と関連付けて記憶部３３に記憶させておくこともできる。ユーザが選択した植物の植付時期や鑑賞時期について、上記分類された時期ごとの注文頻度を取得して記憶部３３に記憶させておき、注文頻度の高い時期の中から、ユーザに推薦する植物の植付時期や鑑賞時期を特定する態様とすることができる。
【０１３６】
上記のような植物の種類を特定する処理は、花壇の形状のうち模様で仕切られた領域ごとに行うことができ、全ての領域を処理するまで繰り返される。なお、上記の処理をマス目ごとに行ってもよい。
【０１３７】
その他、ユーザがアプリケーションを利用している季節や月などの時期を、制御部３１が検知して、検知された時期と同様の過去の時期における注文履歴に関する情報を優先的に利用して、推薦花壇テンプレートを生成する態様とすることもできる。
【０１３８】
例えば、ユーザがアプリケーションを利用している時期が「春」である場合には、注文履歴のうち、「春」に注文された情報を優先的に利用して推薦花壇テンプレートを生成することができる。
【０１３９】
また、植物の注文数に関する情報を記憶部が記憶する手段と、注文数が多い植物に関する情報を制御部が利用して、推薦花壇テンプレートを制御部が生成する手段とを備える構成とすることもできる。上記構成により、多くのユーザが好む売れ筋の植物を推薦花壇テンプレートに組み込むことができるため、ユーザが気に入りやすい推薦花壇テンプレートを生成しやすくなる。
【０１４０】
加えて、植物の利益率に関する情報を記憶部が記憶する手段と、利益率が高い植物に関する情報を制御部が利用して、推薦花壇テンプレートを制御部が生成する手段とを備える構成とすることもできる。上記構成により、利益率の高い推薦花壇テンプレートを生成しやすくなる。
【０１４１】
ステップＳ２５までの処理により、植物の種類が全て特定されると、特定された花壇を作製するための料金が算出される（ステップＳ２６）。
【０１４２】
このとき、算定された料金が、所定の条件を満たす場合に、特定された花壇に係る情報を推薦花壇テンプレートとして記憶部３３に保存して、算定された料金が、所定の条件を満たさない場合に、植物の種類の特定を再度行う態様としてもよい。上記所定の条件の内容は、特に限定されないが、例えば、ユーザが過去に注文した花壇の料金の下限値と上限値の間に収まる範囲であるか否か、ユーザが過去に注文した花壇の料金の平均値から所定の割合の範囲内であるか否か、などの条件を設定することができる。
【０１４３】
図１２は、本発明の実施の形態に係る、推薦花壇テンプレートテーブルの一例を示す図である。上記のようにして作製された推薦花壇テンプレートは、図１２に記載のような推薦花壇テンプレートテーブル１２０に記憶される。推薦花壇テンプレートテーブル１２０には、ユーザＩＤ１２１と関連付けて、推薦ＩＤ１２２及び推薦花壇テンプレート１２３が記憶される。推薦ＩＤ１２２に関連付けて記憶される推薦花壇テンプレート１２３の項目としては、植物名１２４、色１２５、植付時期１２６、鑑賞時期１２７、個別面積１２８、花壇面積１２９、形状１３０、模様１３１、料金１３２、又は画像ＩＤ１３３などがある。
【０１４４】
画像ＩＤ１３３は、推薦花壇テンプレートから生成できる花壇の画像に関連付けられたＩＤである。推薦花壇テンプレートから生成できる花壇の画像を記憶させておくことにより、推薦花壇テンプレートから生成できる花壇の画像をユーザに対して速やかに表示することができるようになる。
【０１４５】
また、花壇の画像として、仮想現実や拡張現実等の技術を利用して表示させる３Ｄ画像も保存しておき、推薦花壇テンプレートから生成できる花壇の３Ｄ画像をユーザに対して速やかに表示できる態様としてもよい。
【０１４６】
推薦花壇テンプレートから生成できる花壇の画像は、前述のようなホーム画面４０の選択肢表示領域４３において推薦表示することができる。
【０１４７】
＜ウェブサイトの頻出ワードに基づく推薦花壇テンプレートの作製＞
推薦花壇テンプレートの作製は、コンピュータを用いて、学習、推論、及び判断等の人間の知能の働きを人工的に実現し得る人工知能（ＡＩ；Ａｒｔｉｆｉｃｉａｌ Ｉｎｔｅｌｌｉｇｅｎｃｅ）などによって行うことができる。
【０１４８】
本実施の形態に係る花壇受発注システムは、所定のウェブサイトの頻出ワードを特定する頻出ワード特定手段を備え、花壇記憶手段が、花壇に関する情報を頻出ワードと関連付けて記憶するものであり、花壇推薦表示手段が、特定された頻出ワードに基づいて、花壇を推薦表示するものであることが好ましい。上記構成により、所定のウェブサイトの頻出ワードに関連する花壇を推薦することができる。
【０１４９】
また、本実施の形態に係る花壇受発注システムは、ユーザによるウェブサイトの指定を可能にするウェブサイト指定手段を備え、頻出ワード特定手段が、指定されたウェブサイトの頻出ワードを特定するものであることが好ましい。上記構成により、ユーザのお気に入りのウェブサイトの頻出ワードに関連する花壇を推薦することができる。
【０１５０】
図１３は、本発明の実施の形態に係る、ウェブサイトの頻出ワードをもとに推薦花壇テンプレートを作製する処理に関するフローチャートの一例を示す図である。まず、お気に入りサイトをクロールする処理を行う（ステップＳ３１）。お気に入りサイトは、ウェブサイト指定手段によってユーザがあらかじめ登録できるものである。
【０１５１】
次に、指定されたウェブサイト内のキーワードを収集し（ステップＳ３２）、収集されたキーワードの中から頻出ワードを特定する。頻出ワードの特定に際しては、重要でないワードを頻出ワードから除外するために、公知のフィルタリング方法を用いることができる。フィルタリング方法は、特に限定されないが、例えば、他のいくつかのウェブサイトについても頻出ワードを取得しておき、他のウェブサイトにおいても出現している頻出ワードは、重要でないワードであるとして、頻出ワードから除外するなどの方法を用いることができる。
【０１５２】
図１４は、本発明の実施の形態に係る、頻出ワードテーブルの一例を示す図である。上記のようにして特定された頻出ワードは、図１４に記載のような頻出ワードテーブル１４０に記憶される。頻出ワードテーブル１４０では、ユーザＩＤ１４１と関連付けられて、ウェブサイト情報１４２及び頻出ワード１４３などが記憶される。また、ウェブサイト情報１４２と関連付けられて、サイトＩＤ１４４、サイト名１４５、及びＵＲＬ１４６などが記憶される。頻出ワードは、頻出度が高い順から、１位、２位、３位のように、複数種類が記憶される。
【０１５３】
頻出ワードに対応する花壇画像がサーバ装置３の記憶部３３に保存されていない場合（ステップＳ３４にてＮＯ）、頻出ワードに関連する画像を検索する（ステップＳ３５）。頻出ワードに対応する花壇画像がサーバ装置３の記憶部３３に既に保存されている場合（ステップＳ３４にてＹＥＳ）、その頻出ワードについては、画像の検索を行わずに、他の頻出ワードについて対応する花壇画像があるか判断を行う（ステップＳ３４）。
【０１５４】
頻出ワードに関連する画像を検索して特定した後（ステップＳ３５）、特定した画像をマス目に分割し（ステップＳ３６）、マス目ごとに色を決定する（ステップＳ３７）。マス目ごとの色を決定する際は、画像データの階調変更などを行ってもよい。例えば、Ｒ、Ｇ、Ｂのそれぞれの色が２５６階調であるフルカラーの画像を４階調に変更し、フルカラーの画像を全６４色の画像に変換してもよい。なお、各色を１６階調、３２階調、６４階調等の他の階調に変更してもよい。
【０１５５】
マス目ごとに色を決定した後（ステップＳ３７）、色に対応する植物の種類を決定する（ステップＳ３７）。植物の種類を決定する基準は、特に限定されないが、例えば、ユーザの注文履歴や属性をもとに決定したり、人気のある植物や利益率の高い植物に決定したりする方法が挙げられる。
【０１５６】
記憶した頻出ワードのすべてについて、推薦表示する推薦花壇テンプレートが作製されるまで、ステップＳ３４〜ステップＳ３８を繰り返した後、ウェブサイトの頻出ワードに基づいて、推薦花壇テンプレートを作製する処理は終了する。
【０１５７】
なお、これまで、注文履歴や頻出ワードに基づいて、推薦表示する花壇画像を自動生成する方法について説明したが、システム運営者が、各ステップを適宜手動で行ったり、修正を加えたりしてもよい。例えば、ステップＳ３４〜ステップＳ３８の処理を自動で行わずに、特定された頻出ワードをもとに、システム運営者が推薦花壇テンプレートを作製する態様としてもよい。また、推薦表示する推薦花壇テンプレートの画像を一からシステム運営者が作製して保存しておいてもよい。
【０１５８】
＜花壇コンテストの評価の記憶＞
本実施の形態に係る花壇受発注システムは、花壇についての他のユーザの評価を記憶する評価記憶手段を備え、花壇推薦表示手段が、他のユーザの評価に基づいて、花壇を推薦表示するものであることが好ましい。上記構成により、多くのユーザが高く評価している花壇を推薦表示することができる。
【０１５９】
図１５は、本発明の実施の形態に係る、花壇コンテストの表示画面の一例を示す図である。花壇コンテスト画面１５０は、ホーム画面４０のコンテストアイコン４８をタップ等する操作によって表示することができる。
【０１６０】
花壇コンテスト画面１５０において、多くのユーザから好ましいと思われる花壇について投票してもらうことにより、一般的に好ましいと思われる花壇画像を選別することができる。花壇コンテストは、一定期間行う態様としてもよいし、常に行っている態様としてもよい。また、複数のテーマについて、別々の花壇コンテストを行う態様としてもよい。
【０１６１】
花壇コンテスト画面１５０には、花壇画像１５１ａ〜１５１ｃ、投票アイコン１５２ａ〜１５２ｃ、お気に入り登録アイコン１５３ａ〜１５３ｃ、花壇切替アイコン１５４、及び中間ランキングアイコン１５５が表示される。
【０１６２】
花壇画像１５１ａ〜１５１ｃは、花壇コンテストにおいて投票の対象となる花壇の画像である。花壇切替アイコン１５４をタップ等する操作により、花壇画像１５１ａ〜１５１ｃ以外の花壇画像を表示することもできる。花壇コンテストに用いる花壇画像は、ユーザが投稿する態様としてもよいし、システム運営者が登録する態様としてもよい。
【０１６３】
投票アイコン１５２ａ〜１５２ｃをタップ等する操作により、ユーザは、花壇画像１５１ａ〜１５１ｃについて、投票を行うことができる。投票は、１ユーザにつき１票までとしてもよいし、１ユーザにつき所定数の票までとしてもよいし、何回でも投票できるようにしてもよい。
【０１６４】
お気に入り登録アイコン１５３ａ〜１５３ｃをタップ等する操作により、ユーザは、花壇画像１５１ａ〜１５１ｃをお気に入りに保存することができる。お気に入りに保存した花壇画像は、例えば、ホーム画面４０のお気に入りアイコン４１をタップする等の操作によって表示することができる。
【０１６５】
中間ランキングアイコン１５５をタップ等する操作により、ユーザは、花壇コンテストの中間結果を閲覧することができる、中間結果の表示態様は、特に限定されないが、例えば、花壇画像、順位、及び投票数などを表示することができる。
【０１６６】
図１６は、本発明の実施の形態に係る、花壇コンテストテーブルの一例を示す図である。投票アイコン１５２ａ〜１５２ｃをタップ等する操作によって投票された投票データは、図１６に記載のような花壇コンテストテーブル１６０に記憶される。
【０１６７】
花壇コンテストテーブル１６０には、花壇ＩＤ１６１、作成者ＩＤ１６２、投票数１６３、及び順位１６４などが、それぞれ関連付けられて記憶される。投票数１６３は、ユーザによる投票がある度に随時増加していき、投票数の増加にともなって順位１６４が変動する。投票数の多い花壇画像又は順位の高い花壇画像を多くのユーザに推薦表示する態様とすることが好ましい。
【０１６８】
＜ユーザ属性の統計の記憶＞
本実施の形態に係る花壇受発注システムは、ユーザの属性及び他のユーザの属性を記憶する属性記憶手段と、属性について統計を取得する統計取得手段とを備え、花壇記憶手段が、花壇に関する情報を属性と関連付けて記憶するものであり、花壇推薦表示手段が、取得された統計に基づいて、花壇を推薦表示するものであることが好ましい。上記構成により、ある属性を有するユーザが好む可能性の高い花壇を推薦することができる。
【０１６９】
ユーザ属性は、ユーザがアプリケーションを初めて起動するときに、ユーザに登録させる態様としてもよいし、随時属性を入力できる態様としてもよい。ユーザに登録させる属性の項目は、特に限定されないが、例えば、性別、生年月日、居住地域、出身地、年収、及び職業などが挙げられる。
【０１７０】
図１７は、本発明の実施の形態に係る、属性テーブルの一例を示す図である。属性テーブル１７０には、ユーザＩＤ１７１と関連付けて、性別１７２、年齢１７３、居住地域１７４、出身地１７５、年収１７６、及び職業１７７などが記憶される。また、ユーザが花壇を注文した場合は、その花壇に関する情報として花壇画像ＩＤ１７８が、上記の情報と関連付けて記憶される。
【０１７１】
図１８は、本発明の実施の形態に係る、統計テーブルの一例を示す図である。上記の属性テーブル１７０に記憶された情報をもとに、統計テーブル１８０が自動生成される。統計テーブル１８０には、性別１８１、年齢１８２、居住地域１８３、出身地１８４、年収１８５、及び職業１８６などの属性１８７に関連付けて、属性項目１８８、及び関連性の高い情報１８９が記憶される。
【０１７２】
属性項目１８８は、属性１８７についてユーザが登録する項目である。例えば、居住地域１８３については、「北海道」、「東北」、及び「関東」などの属性項目が存在する。関連性の高い情報１８９は、関連度の高いものから順に、１位、２位、というように複数種類の情報を記憶しておくことができる。関連性の高い情報１８９は、過去の注文履歴に関する注文項目と、それに対応する注文情報として記憶されている。例えば、「年齢」が「３０代」であるユーザは、「形状」が「長方形」である花壇を統計的に注文する傾向が強く、「色」が「赤」である植物を統計的に注文する傾向もあることなどが、統計情報として統計テーブル１８０に記憶される。
【０１７３】
このように、他のユーザの属性についての統計と、当該他のユーザが注文した花壇の画像から、属性と関連性の高い花壇画像を特定し、共通する属性を有するユーザに対して、特定された花壇画像を推薦表示することにより、ユーザが好む可能性の高い花壇画像を推薦表示しやすくなる。
【０１７４】
＜花壇画像の評価の入力＞
図１９は、本発明の実施の形態に係る、花壇の評価を入力する花壇評価入力画面の一例を示す図である。花壇評価入力画面１９０において、ユーザが花壇の評価を入力することにより、ユーザの花壇に対する好みを花壇受発注システムに記憶させることができる。
【０１７５】
図１９に記載の花壇評価入力画面１９０には、花壇画像１９１、評価項目１９２、評価１９３ａ及び１９３ｂ、評価値１９４、入力部１９５、並びに遷移ボタン１９６などが表示されている。花壇評価入力画面１９０は、表示画面１３ａにおいて表示することができる。
【０１７６】
花壇画像１９１は、ユーザが評価を行う対象となる花壇の画像である。花壇画像１９１は、ユーザが作製した花壇テンプレートの画像を用いてもよいし、花壇受発注システムの運営者が作製して記憶させた花壇テンプレートの画像を用いてもよい。
【０１７７】
花壇画像１９１に対する好みは、下記のようなＳＤ法（Ｓｅｍａｎｔｉｃ Ｄｉｆｆｅｒｅｎｔｉａｌ ｍｅｔｈｏｄ）によって評価することができる。ＳＤ法を用いることにより、ユーザの主観的な好みを客観的に入力させて記憶させることができる。
【０１７８】
ユーザは、花壇画像１９１に対して、花壇の「色」、「形状」、「模様」、又は「全体」などの評価項目１９２について評価を行う。評価項目１９２は、さらに具体的な評価１９３ａ及び１９３ｂに細分化されている。花壇評価入力画面１９０は、ユーザが花壇画像１９１に対して抱く主観的なイメージを、例えば、「好き」−「嫌い」、「派手」−「地味」、又は「斬新」−「平凡」など、対になる概念として表示している。対になる概念について、ユーザは、「１」〜「４」の４段階の評価値１９４を選択することができる。評価値１９４は、入力部１９５に対して、タップ等の所定の操作を行うことで選択できる。
【０１７９】
ユーザの花壇に対する好みを的確に把握するためには、花壇の評価の入力を、複数の花壇画像１９１について行うことが好ましい。そのため、遷移ボタン１９６を表示し、遷移ボタン１９６に対して、タップ等の所定の操作が行われた際に、現在表示されている花壇画像１９１とは異なる花壇画像を新たに表示させる構成とすることが好ましい。ユーザは、新たに表示された花壇画像について、花壇の評価に関する情報を入力することができる。上記のようにして入力された花壇の評価に関する情報は、サーバ装置３の記憶部３３において記憶することができる。
【０１８０】
記憶した花壇の評価に関する情報をもとに、推薦表示する花壇画像を決定することができる。例えば、所定の花壇画像１９１について、あるユーザが新規に入力した花壇の評価に関する情報と、他のユーザが過去に入力していた花壇の評価に関する情報とを制御部３１が比較する。前記比較によって、花壇の好みについて類似性が高い他のユーザを制御部３１が特定する。特定された他のユーザが、過去に注文したり、選択したりした花壇画像を制御部３１が選定する。このようにして選定された花壇画像を、花壇の評価に関する情報を新規に入力したユーザのユーザ端末１に表示させることで、ユーザの好みに合った花壇画像を推薦表示することができる。
【０１８１】
＜推薦表示の確率Ａを更新する処理＞
図２０は、本発明の実施の形態に係る、確率テーブルＡの一例を示す図である。確率テーブルＡ２００には、ユーザＩＤ２０１、花壇画像ＩＤ２０２、花壇の説明２０３、グループＩＤ２０４、グループ名２０５、ユーザ選択ポイント２０６、ユーザ選択ポイント補正値２０７、ユーザ注文ポイント２０８、ユーザ注文ポイント補正値２０９、花壇の合計ポイントＡ２１０、ユーザの合計ポイントＡ２１１、及び推薦表示の確率Ａ２１２などが記憶されている。
【０１８２】
確率テーブルＡ２００では、１つのユーザＩＤ２０１に対して、サーバ装置３の記憶部３３に記憶されているすべての花壇画像ＩＤ２０２が関連付けられている。また、グループＩＤ２０４は、複数の花壇画像ＩＤ２０２と関連付けられている。
【０１８３】
例えば、グループ名「国旗」のグループＩＤ「Ｇ０００１」は、「イタリア国旗」の花壇画像ＩＤ「Ｆ０００１」、「フランス国旗」の花壇画像ＩＤ「Ｆ０００２」、及び「イギリス国旗」の花壇画像ＩＤ「Ｆ０００３」と関連付けられている。また、例えば、グループ名「赤色系統」のグループＩＤ「Ｇ００３３」は、「イギリス国旗」の花壇画像ＩＤ「Ｆ０００３」、及び「太陽」の花壇画像ＩＤ「Ｆ０００５」と関連付けられている。
【０１８４】
ユーザ選択ポイント２０６とは、ユーザが花壇画像をタップ等の操作によって選択する度に付与されるポイントである。例えば、ユーザが一度も選択したことのない花壇画像のユーザ選択ポイント２０６は「０」であるが、ユーザが一度選択をした花壇画像については、ユーザ選択ポイント２０６として「５」を加算することができる。
【０１８５】
また、例えば、花壇画像ＩＤが「Ｆ０００４」である「三日月」の花壇が選択された場合、花壇画像ＩＤ「Ｆ０００４」の「三日月」は、グループＩＤ「Ｇ０００２」の「天体」と関連付けられているため、グループＩＤ「Ｇ０００２」の「天体」と関連付けられた他の花壇画像ＩＤ「Ｆ０００５」の「太陽」の花壇について、ユーザ選択ポイントとして「５」を加算することもできる。
【０１８６】
ユーザ選択ポイント補正値２０７とは、グループが包含する花壇画像の数で、ユーザ選択ポイント２０６を除した値である。例えば、グループＩＤが「Ｇ０００４」であるグループ「天体」が包含する花壇画像の数は「２」であるため、ユーザ選択ポイント「５」を花壇画像の数「２」で除した値である「２．５」がユーザ選択ポイント補正値となる。
【０１８７】
ユーザ注文ポイント２０８とは、ユーザが花壇を注文する度に付与されるポイントである。例えば、ユーザが一度も注文したことのない花壇の画像では、ユーザ注文ポイント２０８は「０」であるが、ユーザが一度注文をした花壇画像については、ユーザ注文ポイント２０８として「１０」を加算することができる。
【０１８８】
また、例えば、花壇画像ＩＤが「Ｆ０００１」である「イタリア国旗」の花壇が注文された場合に、花壇画像ＩＤ「Ｆ０００１」の「イタリア国旗」はグループＩＤ「Ｇ０００１」の「国旗」と関連付けられているため、グループＩＤ「Ｇ０００１」の「国旗」と関連付けられた他の花壇画像ＩＤ「Ｆ０００２」の「フランス国旗」、及び「Ｆ０００３」の「イギリス国旗」について、ユーザ注文ポイントとして「１０」を加算することができる。
【０１８９】
ユーザ注文ポイント補正値２０９とは、グループが包含する花壇画像の数で、ユーザ注文ポイント２０８を除した値である。例えば、グループＩＤが「Ｇ０００１」であるグループ「国旗」が包含する花壇画像の数は「３」であるため、ユーザ注文ポイント「１０」を花壇画像の数「３」で除した値である「３．３」がユーザ注文ポイント補正値となる。
【０１９０】
花壇の合計ポイントＡ２１０は、各花壇画像ＩＤ２０２と関連付けられたポイントの補正値を合計したものである。すなわち、花壇の合計ポイントＡ２１０は、ユーザ選択ポイント補正値２０７及びユーザ注文ポイント補正値２０９を合計したものである。
【０１９１】
ユーザの合計ポイントＡ２１１は、花壇の合計ポイントＡ２１０を合計したものである。各花壇の合計ポイントＡ２１０をユーザの合計ポイントＡ２１１で除すことにより、推薦表示の確率Ａ２１２を算出することができる。
【０１９２】
花壇画像ＩＤ２０２と関連付けられた花壇画像は、推薦表示の確率Ａ２１２に基づいて推薦表示される。推薦表示の確率Ａ２１２を設定することにより、ユーザの選択履歴や注文履歴に基づいて、ユーザが好む可能性の高い花壇を高頻度で推薦表示するとともに、いつも同じ花壇が推薦表示されてしまうことを防止することができる。なお、注文した花壇の画像そのものについては、推薦表示の確率Ａ２１２に関わらず、推薦表示させない構成としてもよい。
【０１９３】
図２１は、本発明の実施の形態に係る、花壇選択肢を推薦表示する確率Ａを更新する処理に関するフローチャートの一例を示す図である。
【０１９４】
まず、ユーザ選択ポイントを加算するか否かを判断する（ステップＳ４１）。加算可能なユーザ選択ポイントがある場合（ステップＳ４１にてＹＥＳ）、ユーザ選択ポイントを加算する（ステップＳ４２）。加算可能なユーザ選択ポイントがない場合（ステップＳ４１にてＮＯ）、ユーザ選択ポイントを加算せずに、次の処理に移行する。
【０１９５】
続いて、ユーザ注文ポイントを加算するか否かを判断する（ステップＳ４３）。加算可能なユーザ注文ポイントがある場合（ステップＳ４３にてＹＥＳ）、ユーザ注文ポイントを加算する（ステップＳ４４）。加算可能なユーザ注文ポイントがない場合（ステップＳ４３にてＮＯ）、ユーザ注文ポイントを加算せずに、次の処理に移行する。
【０１９６】
最後に、花壇の合計ポイントＡをユーザの合計ポイントＡで除して、推薦表示の確率Ａを算出する（ステップＳ４５）。算出された推薦表示の確率Ａが、確率テーブルＡ２００の推薦表示の確率Ａ２１２として上書き保存されることにより、推薦表示の確率Ａが更新される。
【０１９７】
このように、本実施の形態に係る花壇受発注システムは、花壇の選択肢をグループ化して記憶するグループ記憶手段と、花壇の選択肢ごとに、選択肢を推薦表示する確率を記憶する推薦確率記憶手段と、花壇の選択肢の選択を受け付ける選択受付手段と、選択を受け付けた選択肢のグループに包含される選択肢について、選択を受け付けた後であって、再度、推薦表示をする前に、選択肢を推薦表示する確率を所定の条件で増加させる推薦確率増加手段とを備えるものであることが好ましい。上記構成により、ユーザの好みを花壇受発注システムが学習して、より的確な推薦表示をしやすくなる。また、推薦確率Ａの更新を繰り返すほど、より的確な推薦表示がされやすくなる。
【０１９８】
推薦確率Ａに基づく推薦表示の態様は、特に限定されないが、例えば、ホーム画面４０の選択肢表示領域４３に花壇画像を推薦表示することができる。推薦表示する際の花壇画像の順番は、特に限定されないが、例えば、推薦確率Ａの高い順及び／又はグループ毎に推薦表示する態様とすることが好ましい。
【０１９９】
具体的には、例えば、推薦表示するものとして選定された花壇画像をグループ毎になるようにソートし、かつ、グループ内で最も推薦確率Ａが高いものを特定した上で、当該推薦確率Ａが高いものを含むグループから順に推薦表示する態様とすることができる。また、例えば、推薦表示するものとして選定された花壇画像をグループ毎になるようにソートし、かつ、グループ内の推薦確率Ａの平均値を算出して特定した上で、当該平均値が高いグループから順に推薦表示する態様とすることもできる。
【０２００】
＜推薦表示の確率Ｂを更新する処理＞
図２２は、本発明の実施の形態に係る、確率テーブルＢの一例を示す図である。確率テーブルＢ２２０には、ユーザＩＤ２２１、花壇画像ＩＤ２２２、花壇の説明２２３、属性統計ポイント２２４、頻出ワードポイント２２５、投票評価ポイント２２６、花壇の合計ポイントＢ２２７、ユーザの合計ポイントＢ２２８、及び推薦表示の確率Ｂ２２９などが記憶されている。
【０２０１】
確率テーブルＢ２２０では、１つのユーザＩＤ２２１に対して、サーバ装置３の記憶部３３に記憶されているすべての花壇画像ＩＤ２２２が関連付けられている。
【０２０２】
属性統計ポイント２２４とは、属性の統計情報に基づいて付与されるポイントである。例えば、ユーザの「年齢」が「３０代」であり、かつ、「年齢」が「３０代」であるユーザは、「形状」が「長方形」である花壇を統計的に注文する傾向が強く、次いで、「色」が「赤」である植物を統計的に注文する傾向がある場合に、「形状」が「長方形」である花壇画像に「２」、「色」が「赤」である花壇画像に「１」などというように、属性統計ポイント２２４を付与することができる。
【０２０３】
頻出ワードポイント２２５とは、頻出ワードに基づいて付与されるポイントである。例えば、ユーザの指定したウェブサイトの頻出ワードに「三日月」があり、かつ、ある花壇画像が「三日月」という頻出ワードと関連付けられている場合に、当該花壇画像に対して頻出ワードポイント２２５を付与することができる。また、頻出ワードの頻出度が高い順から、「３」、「２」、「１」などというように、ポイントが降順になるように付与することもできる。
【０２０４】
投票評価ポイント２２６とは、花壇コンテストにおける投票数に基づいて付与されるポイントである。例えば、ある花壇画像に対する投票数が「１」であるとき、その花壇画像の投票評価ポイント２２６を「１」として付与することができる。
【０２０５】
花壇の合計ポイントＢ２２７は、各花壇画像ＩＤ２２２と関連付けられたポイントを合計したものである。すなわち、花壇の合計ポイントＢ２２７は、属性統計ポイント２２４、頻出ワードポイント２２５、及び投票評価ポイント２２６を合計したものである。
【０２０６】
ユーザの合計ポイントＢ２２８は、花壇の合計ポイントＢ２２７を合計したものである。各花壇の合計ポイントＢ２２７をユーザの合計ポイントＢ２２８で除すことにより、推薦表示の確率Ｂ２２９を算出することができる。
【０２０７】
花壇画像ＩＤ２２２と関連付けられた花壇画像は、推薦表示の確率Ｂ２２９に基づいて推薦表示される。推薦表示の確率Ｂ２２９を設定することにより、ユーザの属性、頻出ワード、及びユーザの投票評価などに基づいて、ユーザが好む可能性の高い花壇を高頻度で推薦表示するとともに、いつも同じ花壇が推薦表示されてしまうことを防止することができる。
【０２０８】
図２３は、本発明の実施の形態に係る、花壇選択肢を推薦表示する確率Ｂを更新する処理に関するフローチャートの一例を示す図である。
【０２０９】
まず、属性統計ポイントを加算するか否かを判断する（ステップＳ５１）。加算可能な属性統計ポイントがある場合（ステップＳ５１にてＹＥＳ）、属性統計ポイントを加算する（ステップＳ５２）。加算可能な属性統計ポイントがない場合（ステップＳ５１にてＮＯ）、属性統計ポイントを加算せずに、次の処理に移行する。
【０２１０】
続いて、頻出ワードポイントを加算するか否かを判断する（ステップＳ５３）。加算可能な頻出ワードポイントがある場合（ステップＳ５３にてＹＥＳ）、頻出ワードポイントを加算する（ステップＳ５４）。加算可能な頻出ワードポイントがない場合（ステップＳ５３にてＮＯ）、頻出ワードポイントを加算せずに、次の処理に移行する。
【０２１１】
次に、投票評価ポイントを加算するか否かを判断する（ステップＳ５５）。加算可能な投票評価ポイントがある場合（ステップＳ５５にてＹＥＳ）、投票評価ポイントを加算する（ステップＳ５６）。加算可能な投票評価ポイントがない場合（ステップＳ５５にてＮＯ）、投票評価ポイントを加算せずに、次の処理に移行する。
【０２１２】
最後に、花壇の合計ポイントＢをユーザの合計ポイントＢで除して、推薦表示の確率Ｂを算出する（ステップＳ５７）。算出された推薦表示の確率Ｂが、確率テーブルＢ２２０の推薦表示の確率Ｂ２２９として上書き保存されることにより、推薦表示の確率Ｂが更新される。
【０２１３】
上記のようにして、花壇選択肢を推薦表示する確率Ｂを更新する処理を繰り返すことにより、ユーザの好みを花壇受発注システムが学習して、より的確な推薦表示がされやすくなる。また、推薦確率Ｂの更新を繰り返すほど、より的確な推薦表示がされやすくなる。
【０２１４】
推薦確率Ｂに基づく推薦表示の態様は、特に限定されないが、例えば、ホーム画面４０の選択肢表示領域４３に表示させることができる。この場合、ホーム画面４０の選択肢表示領域４３に表示させる花壇画像を、推薦確率Ａに基づいて表示するか又は推薦確率Ｂに基づいて表示するかについて、所定の条件で決定する手段を備える構成とすることが好ましい。所定の条件としては、あらかじめ設定した所定の確率を条件としたり、ユーザが花壇選択肢を表示させる前に、表示させた画面又は操作した内容に関連するものとすることを条件としたりすることができる。その他、ホーム画面４０とは別の画面において表示領域を設けて、推薦確率Ｂに基づく推薦表示してもよい。
【０２１５】
推薦表示する際の花壇画像の順番は、特に限定されないが、例えば、推薦確率Ｂの高い順に推薦表示する態様とすることが好ましい。また、推薦確率Ａを算出する際に用いたグループを順番の決定にも利用して、グループ毎の推薦表示ができるようにしてもよい。
【０２１６】
具体的には、例えば、推薦表示するものとして選定された花壇画像をグループ毎になるようにソートし、かつ、グループ内で最も推薦確率Ｂが高いものを特定した上で、当該推薦確率Ｂが高いものを含むグループから順に推薦表示する態様とすることができる。また、例えば、推薦表示するものとして選定された花壇画像をグループ毎になるようにソートし、かつ、グループ内の推薦確率Ｂの平均値を算出して特定した上で、当該平均値が高いグループから順に推薦表示する態様とすることができる。
【０２１７】
＜あえてユーザの好みとは異なる花壇を推薦表示する処理＞
本実施の形態に係る花壇受発注システムは、花壇推薦表示手段が、ユーザの注文履歴、所定のウェブサイトの頻出ワード、他のユーザの評価、及びユーザの属性からなる群より選ばれる１以上の条件に基づいて選定される花壇とは異なる花壇を推薦表示する手段を有することが好ましい。上記構成により、あえて、ユーザの好みとは異なる花壇を推薦表示することができる。そのため、ユーザが今までの趣味趣向とは異なるタイプの花壇を発見しやすくなる。
【０２１８】
具体的には、推薦表示の確率Ａ２１２及び／又は推薦表示の確率Ｂ２２９が低いものを優先的に推薦表示する態様とすることで、上記のように、ユーザの好みとは異なる花壇をあえて推薦表示することができる。例えば、推薦表示の確率Ａ又は推薦表示の確率Ｂが０．２である場合、確率１から推薦表示の確率０．２を差し引いた値である０．８を、ユーザの好みとは異なる花壇をあえて推薦表示する確率とすることができる。
【０２１９】
＜一から花壇を作製する処理＞
図２４は、本発明の実施の形態に係る、花壇を一から作製して受発注する処理に関するフローチャートの一例を示す図である。例えば、図４に記載の花壇設計アイコン４７をタップする等の操作により、推薦表示された花壇画像を用いずに、花壇を一から設計するための画面を表示して、花壇受発注処理を開始することができる。
【０２２０】
花壇受発注処理を開始すると、まず、ユーザが希望する花壇の形状及び面積に関する情報を入力するための入力画面が表示画面１３ａに表示され、入力画面をタップする等の操作によって、花壇の形状及び面積が決定される（ステップＳ６１）。花壇の形状及び面積の決定は、形状等修正画面５０において行うことができる。
【０２２１】
ステップＳ６１において花壇の形状及び面積が決定されると、次に、花壇の形状を構成する各領域の色を入力するための入力画面が表示画面１３ａに表示され、入力画面をタップする等の操作によって、花壇の形状を構成する各領域の色が決定される（ステップＳ６２）。植物の色の決定は、色修正画面６０において行うことができる。
【０２２２】
ステップＳ６２において花壇を構成する各領域の色が決定されると、次に、各領域に配植する植物の種類を入力するための入力画面が表示画面１３ａに表示され、入力画面をタップする等の操作によって、花壇の形状を構成する各領域に植える植物の種類が決定される（ステップＳ６３）。植物の種類の決定は、植物修正画面７０において行うことができる。
【０２２３】
ステップＳ６１からＳ６３までの処理により、構成する複数の領域ごとに、植物の色・種類が特定されると、配植計画に基づいた花壇を作製するための料金が算定される（ステップＳ６４）。例えば、植物ごと或いは植物の色ごとに単位面積又は一領域あたりの料金が定められており、配植計画において選択された植物をもとに、花壇の作製に必要な合計料金が算定される。算定された料金は、表示画面１３ａに表示される（ステップＳ６５）。
【０２２４】
花壇を構成する複数の領域ごとに、異なる色及び／又は異なる種類の植物の配置が特定されると、花壇の状態を示す画像が描画され、表示画面１３ａに表示される（ステップＳ６６）。
【０２２５】
ユーザが、視点変更指示及び／又は時期変更指示を行なった場合（ステップＳ６７にてＹＥＳ）、ユーザの変更指示に基づいて、花壇の状態を示す画像が描画され、表示画面１３ａに表示される（ステップＳ６６）。視点変更指示及び／又は時期変更指示は、視点等入力画面９０において行うことができる。
【０２２６】
ステップＳ６６において表示画面１３ａに表示される花壇の状態を表す画像に対してユーザが納得した場合は、視点変更指示及び／又は時期変更指示を行なわず（ステップＳ６７にてＮＯ）、ユーザ端末１を操作指示することで、配植計画を行った花壇をいわゆる「ショッピングカート」に入れるなど、仮登録をすることができる（ステップＳ６８）。ユーザは、引き続き、別の花壇について配植計画を行うことができる。ステップＳ６１からＳ６８までの処理を繰り返し行うことで、複数の花壇の配植計画を行い、これらの花壇をショッピングカートに入れておくことができ、まとめて購入のための手続きを行うことができる。
【０２２７】
ステップＳ６８において、配植計画を行った花壇について仮登録を行うと、ユーザ端末１の表示画面１３ａには、発注を確定させるための発注ボタンが表示される。また、表示画面１３ａには、ショッピングカートに入れられた花壇を発注した場合の費用も表示される。費用については、ショッピングカートに入れられた花壇の個別の費用と、ショッピングカートに入れられた複数の花壇の合計の費用が表示される。ユーザは、花壇を発注した場合の合計の費用を確認したうえで、ショッピングカートに入れられた花壇の一部をショッピングカートから削除したり、或いは、ショッピングカートに入れられた花壇の一部の配植計画を再度行ったりすることができる。ショッピングカートに入れられた花壇の一部の配植計画の見直しを行う場合は、見直し対象の花壇について、ステップＳ６１からＳ６８までの処理を再度行う。
【０２２８】
ユーザの操作指示により、発注ボタンがタップされると、サーバ装置３に発注要求が送信される（ステップＳ６９）。この場合、ショッピングカートに入れられて仮登録された全ての花壇が、発注要求の対象となる。ユーザは、ユーザが行った配植計画に基づいて花壇の宅配及び作製を発注することができるが、花壇を作製する際に必要となる植物の種、苗などを発注することもできる。花壇の宅配及び作製を発注するか、或いは、植物の種、苗などの宅配のみを発注するかについて、ユーザが選択できるようにしてもよい。
【０２２９】
ステップＳ６９において、ユーザの発注要求がサーバ装置３に送信されると、サーバ装置３にて発注内容が受信され、発注の内容が、サーバ装置３の記憶部３３に記憶されて、受注が確定される（ステップＳ７０）。本発明の花壇受発注システムの運営者は、発注された内容にしたがって、受注をした植物の種や苗を準備し、或いは、花壇を作製し、予め登録されたユーザ住所に配送を行う。
【０２３０】
上述した態様では、ユーザ端末とサーバ装置とを備えるシステムによる実施形態を示したが、本発明は、ユーザ端末のみを用いる実施形態も可能である。ユーザ端末のみを用いる実施形態においては、上述の態様でサーバ装置が担っていた機能は、ユーザ端末によって果たされる。
【符号の説明】
【０２３１】
１      ユーザ端末
１１    制御部
１２    ＲＡＭ
１３    表示部
１４    記憶部
１５    センサ部
１６    通信インタフェース
２      通信ネットワーク
３      管理サーバ装置
３１    制御部
３２    ＲＡＭ
３３    記憶部
３４    通信インタフェース
４０    ホーム画面
５０    形状等修正画面
６０    色修正画面
７０    植物修正画面
８０    植物データテーブル
９０    視点等入力画面
１００    注文履歴テーブル
１２０    推薦花壇テンプレートテーブル
１４０    頻出ワードテーブル
１５０    花壇コンテスト画面
１６０    花壇コンテストテーブル
１７０    属性テーブル
１８０    統計テーブル
２００    確率テーブルＡ
２２０    確率テーブルＢ
【図１】
2019036145.tif 000003
【図２】
2019036145.tif 000004
【図３】
2019036145.tif 000005
【図４】
2019036145.tif 000006
【図５】
2019036145.tif 000007
【図６】
2019036145.tif 000008
【図７】
2019036145.tif 000009
【図８】
2019036145.tif 000010
【図９】
2019036145.tif 000011
【図１０】
2019036145.tif 000012
【図１１】
2019036145.tif 000013
【図１２】
2019036145.tif 000014
【図１３】
2019036145.tif 000015
【図１４】
2019036145.tif 000016
【図１５】
2019036145.tif 000017
【図１６】
2019036145.tif 000018
【図１７】
2019036145.tif 000019
【図１８】
2019036145.tif 000020
【図１９】
2019036145.tif 000021
【図２０】
2019036145.tif 000022
【図２１】
2019036145.tif 000023
【図２２】
2019036145.tif 000024
【図２３】
2019036145.tif 000025
【図２４】
2019036145.tif 000026